(57)【要約】      （修正有）【課題】プラグイン可能なメカニズムの助けによりバッテリーバランシングコントロールを行う方法及び装置の提供。【解決手段】プラグイン可能な外接モジュール１５０は一組の外接バランシング回路と第１接続ポートを包含し、該組の外接バランシング回路は該電源供給装置中の特定バッテリーモジュールの一組のバッテリーセルに対応するものとするステップ、及び、該特定バッテリーモジュールのケーシング上に、該第１接続ポートに対応する第２接続ポートを提供し、該プラグイン可能な外接モジュールを、該第１接続ポート及び該第２接続ポートの形成するプラグイン可能なメカニズムの助けにより該特定バッテリーモジュールに接続できるようにし、これにより、該組の外接バランシング回路を利用して、該組のバッテリーセルに対してバランシング動作を行うステップ、を包含する。また、関係する装置も提供する。【選択図】図８
2015100216.tif 000002
【特許請求の範囲】
【請求項１】
プラグイン可能なメカニズムの助けによりバッテリーバランシングコントロールを行う装置において、該装置は、電源供給装置の少なくとも一部分を包含し、該装置は、
プラグイン可能な外接モジュールであって、該プラグイン可能な外接モジュールは、
一組の外接バランシング回路であって、バランシング動作を実行し、該組の外接バランシング回路はそれぞれ該電源供給装置中の特定バッテリーモジュールの一組のバッテリーセルに対応する、上記一組。外接バランシング回路、及び、
第１接続ポートであって、該第１接続ポートは複数の端子を包含し、該複数の端子はそれぞれ該組の外接バランシング回路に接続される、上記第１接続ポート、
を包含する上記プラグイン可能な外接モジュールを包含し、
該特定バッテリーモジュールのケーシング上に、該第１接続ポートに対応する第２接続ポートが設置され、該プラグイン可能な外接モジュールが、該第１接続ポートと該第２接続ポートの形成するプラグイン可能なメカニズムの助けにより、該特定バッテリーモジュールに接続可能とされ、該組の外接バランシング回路により、該組のバッテリーセルに対してバランシング動作を実行することを特徴とする、装置。
【請求項２】
請求項１記載の装置において、該特定バッテリーモジュールの該ケーシング上に、該第１接続ポートに対応する該第２接続ポートが設置され、該組の外接バランシング回路が、該プラグイン可能なメカニズムの助けにより、それぞれ該組のバッテリーセルに接続可能とされ、該組の外接バランシング回路により該組のバッテリーセルに対してバランシング動作を実行することを特徴とする、装置。
【請求項３】
請求項１記載の装置において、該プラグイン可能な外接モジュールの内、或いは、該特定バッテリーモジュールの該ケーシングの内に、少なくとも一つの判断回路が設置され、該少なくとも一つの判断回路は、該組の外接バランシング回路の少なくとも一部分をイネーブルするか否かを決定するのに用いられることを特徴とする、装置。
【請求項４】
請求項３記載の装置において、該特定バッテリーモジュールの該ケーシングの内に、一組の内部バランシング回路が設置されて、該プラグイン可能な外接モジュールが該プラグイン可能なメカニズムの助けにより該特定バッテリーモジュールに接続されていない状況で、該組の内部バランシング回路を利用し、該組のバッテリーセルに対してバランシング動作を実行し、及び、該少なくとも一つの判断回路が、該プラグイン可能な外接モジュールが該特定バッテリーモジュールに接続されているか否かにより、該組の内部バランシング回路を選択的にイネーブルすることを特徴とする、装置。
【請求項５】
請求項１記載の装置において、
電源供給モジュールであって、
該特定バッテリーモジュールと、
該特定バッテリーモジュールの該ケーシングと、
一組の内部バランシング回路であって、該特定バッテリーモジュールの該ケーシングの内に設置されて、該組のバッテリーセルに対してバランシング動作を実行するのに用いられる、上記一組の内部バランシング回路と、
を包含する、上記電源供給モジュールを包含することを特徴とする、装置。
【請求項６】
プラグイン可能なメカニズムの助けによりバッテリーバランシングコントロールを行う  装置において、該装置は、電源供給装置の少なくとも一部分を包含し、該装置は、
電源供給モジュールを包含し、該電源供給モジュールは、該電源供給装置のプラグイン可能な外接モジュールに対応し、該プラグイン可能な外接モジュールは、一組の外接バランシング回路と一つの第１接続ポートを包含し、該電源供給モジュールは、
特定バッテリーモジュールであって、一組のバッテリーセルを包含し、該組の外接バランシング回路はそれぞれ該組のバッテリーセルに対応する、上記特定バッテリーモジュールと、
ケーシングであって、該ケーシング上に、該第１接続ポートに対応する第２接続ポートが設置され、該プラグイン可能な外接モジュールが、該第１接続ポートと該第２接続ポートが形成するプラグイン可能なメカニズムの助けにより該特定バッテリーモジュールに接続可能とされ、該第２接続ポートは複数の端子を包含し、該複数の端子はそれぞれ該組のバッテリーセルに接続される、上記ケーシングと、
を包含することを特徴とする、装置。
【請求項７】
請求項６記載の装置において、該ケーシング上に、該第１接続ポートに対応する第２接続ポートが設置され、該組の外接バランシング回路が、該プラグイン可能なメカニズムの助けにより、それぞれ該組のバッテリーセルに接続可能とされ、該組の外接バランシング回路により該組のバッテリーセルに対してバランシング動作を実行することを特徴とする、装置。
【請求項８】
請求項６記載の装置において、該電源供給モジュールは、また、少なくとも一つの内部ヒートシンクを包含し、該内部ヒートシンクは該特定バッテリーモジュールの該ケーシングの内に設置され、該特定バッテリーモジュールの該ケーシングの内の少なくとも一つの素子が発生する熱が、該少なくとも一つの内部ヒートシンクと該特定バッテリーモジュールの該ケーシングを介して消散されることを特徴とする、装置。
【請求項９】
請求項８記載の装置において、該電源供給モジュールは、また、少なくとも一つの外部ヒートシンクを包含し、該外部ヒートシンクは該特定バッテリーモジュールの該ケーシング上に設置され、該特定バッテリーモジュールの内の少なくとも一つの素子が発生する熱が、該少なくとも一つの内部ヒートシンク、該特定バッテリーモジュールの該ケーシング、及び該少なくとも一つの外部ヒートシンクを介して消散することを特徴とする、装置。
【請求項１０】
請求項６記載の装置において、該電源供給モジュールはさらに、
一組の内部バランシング回路であって、該組のバッテリーセルに接続され、該プラグイン可能な外接モジュールが、該プラグイン可能なメカニズムの助けにより、該特定バッテリーモジュールに接続される状況で、該組のバッテリーセルに対してバランシング動作を実行するのに用いられ、そのうち、該組の内部バランシング回路はそれぞれ該組のバッテリーセルに対応することを特徴とする、装置。
【請求項１１】
請求項１０記載の装置において、該プラグイン可能な外接モジュールの内或いは該特定バッテリーモジュールの該ケーシングの内に、少なくとも一つの判断回路が設置され、該少なくとも一つの判断回路は、該組の外接バランシング回路の少なくとも一部分をイネーブルし、及び、該プラグイン可能な外接モジュールが該特定バッテリーモジュールに接続されているか否かにより、該組の内部バランシング回路が該少なくとも一つの判断回路により選択的にディスエーブルされることを特徴とする、装置。
【発明の詳細な説明】
【技術分野】
【０００１】
本発明は電源供給装置に係り、特に一種のプラグイン可能な（Ｐｌｕｇｇａｂｌｅ）メカニズムの助けによりバッテリーバランシング（Ｂａｌａｎｃｉｎｇ）コントロールを行う方法及び装置に関する。
【背景技術】
【０００２】
伝統的な電源供給装置たとえば予備電源供給装置は、該伝統的な電源供給装置中のバッテリーのある動作に対してコントロールを行うために、通常、特殊目的のコントロール回路が設置されている。関係技術によると、該伝統的な電源供給装置中のこのようなコントロール回路は、往々にして特別な設計を必要とするため、いささかの問題を発生し得る。たとえば、該伝統的な電源供給装置の出力電圧の規格を変更する必要がある時、該コントロール回路はそれに応じて修正されなければならず、そのため関係コストの増加がもたらされる。また、異なる使用者の要求に対応して該コントロール回路の設計を変更すると、該伝統的な電源供給装置中の機構素子、たとえば、あるケーシング部品を修正しなければならなくなり、このため関係コストの増加が引き起こされる。これにより、いかなる副作用も発生しない状況で、電源供給装置の関係コントロールを強化できる、一種の新規な方法と、電源供給装置の基本構造の改良が必要である。
【発明の概要】
【発明が解決しようとする課題】
【０００３】
本発明の一つの目的は、一種の、プラグイン可能なメカニズムの助けによりバッテリーバランシングコントロールを行う方法及び装置を提供して、上述の問題を解決することにある。
【０００４】
本発明のもう一つの目的は、一種の、プラグイン可能なメカニズムの助けによりバッテリーバランシングコントロールを行う方法及び装置を提供し、いかなる副作用も発生しない状況で、最も経済的な方式で、バッテリーモジュール中の一組のバッテリーセル（Ｂａｔｔｅｒｙ  Ｃｅｌｌ）の間の自動化バランシングを実現することにある。
【課題を解決するための手段】
【０００５】
本発明の好適な実施例中、一種の、プラグイン可能なメカニズムの助けによりバッテリーバランシングコントロールを行う方法が提供され、該方法は電源供給装置に応用され、該方法は、以下のステップを包含し、すなわち、
プラグイン可能な外接モジュールを提供し、該外接モジュールは一組の外接バランシング回路と第１接続ポートを包含し、該組の外接バランシング回路は該電源供給装置中の特定バッテリーモジュールの一組のバッテリーセルに対応するものとするステップ、及び、  該特定バッテリーモジュールのケーシング上に、該第１接続ポートに対応する第２接続ポートを提供し、該プラグイン可能な外接モジュールを、該第１接続ポート及び該第２接続ポートの形成するプラグイン可能なメカニズムの助けにより該特定バッテリーモジュールに接続できるようにし、これにより、該組の外接バランシング回路を利用して、該組のバッテリーセルに対してバランシング動作を行うステップ、
を包含する。
【０００６】
本発明は上述の方法と共に、それに対応して一種の、プラグイン可能なメカニズムの助けによりバッテリーバランシングコントロールを行う装置を提供し、該装置は、電源供給装置の少なくとも一部分を包含し、該装置は、プラグイン可能な外接モジュールを包含し、該プラグイン可能な外接モジュールは、一組の外接バランシング回路と第１接続ポートを包含する。特に、該組の外接バランシング回路はバランシング動作を実行し、そのうち、該組の外接バランシング回路はそれぞれ該電源供給装置中の特定バッテリーモジュールの一組のバッテリーセルに対応する。このほか、該第１接続ポートは複数の端子を包含し、該複数の端子は、それぞれ該組の外接バランシング回路に接続される。このほか、該特定バッテリーモジュールのケーシング上に、該第１接続ポートに対応する第２接続ポートが設置され、該プラグイン可能な外接モジュールが、該第１接続ポートと該第２接続ポートの形成するプラグイン可能なメカニズムの助けにより、該特定バッテリーモジュールに接続できるものとされ、これにより、該組の外接バランシング回路により、該組のバッテリーセルに対するバランシング動作を行う。
【０００７】
本発明は上述の方法と共に、それに対応して一種の、プラグイン可能なメカニズムの助けによりバッテリーバランシングコントロールを行う装置を提供し、該装置は、電源供給装置の少なくとも一部分を包含し、該装置は、電源供給モジュール（Ｐｏｗｅｒ  Ｓｕｐｐｌｙ  Ｍｏｄｕｌｅ）を包含し、そのうち、該電源供給モジュールは、特定バッテリーモジュールとケーシングを包含する。特に、該電源供給モジュールは、該電源供給装置のプラグイン可能な外接モジュールに対応し、該プラグイン可能な外接モジュールは、一組の外接バランシング回路と第１接続ポートを包含する。このほか、該特定バッテリーモジュールは、一組のバッテリーセルを包含し、該組の外接バランシング回路は、それぞれ該組のバッテリーセルに対応する。このほか、該ケーシング上に、該第１接続ポートに対応する第２接続ポートが設置され、該プラグイン可能な外接モジュールが、該第１接続ポートと該第２接続ポートの形成するプラグイン可能なメカニズムの助けにより該特定バッテリーモジュールに接続できるものとされ、これにより、該組の外接バランシング回路が該組のバッテリーセルに対してバランシング動作を行ない、そのうち、該第２接続ポートは複数の端子を包含し、該複数の端子はそれぞれ該組のバッテリーセルに接続される。
【発明の効果】
【０００８】
本発明のよいところの一つは以下のとおりである。本発明のプラグイン可能なメカニズムの助けによりバッテリーバランシングコントロールを行う方法及び装置は、いかなる副作用も発生しない状況で、最も経済的な方式で、電源供給モジュール中の一組のバッテリーセルの間の自動化バランシングを実現し、ゆえに、本発明の方法と装置は、複数のバッテリーセルを具えた電源供給装置のセルフバランシングを実現できる。このほか、本発明の方法と装置は、構造の変更の自由度を有する電源供給装置を実現でき、そのうち、電源供給装置中の電源供給モジュールの数は、必要に応じて機動的に調整でき、並びに、上述のプラグイン可能な外接モジュールを利用して、電源供給装置中の任意の一つのバッテリーモジュールの回路システムを必要時に修正或いはアップグレードできる。これにより、本発明の方法と装置は、該電源供給装置の製造、試験、取り付け、使用、メインテナンス（たとえば、故障したバッテリーモジュールの交換）、弾性的なアップグレード（たとえば、少なくとも一つのバッテリーモジュールを増加或いは減少することで、出力電圧の規格を変更する、或いは、少なくとも一つのプラグイン可能な外接モジュールを増加或いは減少することで、使用者の手中の任意の一つのバッテリーモジュールの回路システムを修正する）の、いずれにも極めて大きく役立つ。
【図面の簡単な説明】
【０００９】
【図１】本発明の第１実施例のプラグイン可能な（Ｐｌｕｇｇａｂｌｅ）メカニズムの助けによりバッテリーバランシング（Ｂａｌａｎｃｉｎｇ）コントロールを行う装置の表示図である。
【図２】本発明のある実施例の、プラグイン可能なメカニズムの助けによりバッテリーバランシングコントロールを行う方法のフローチャートである。
【図３】図２に示される方法の、ある実施例中の、アッパーケース、内部ヒートシング（Ｉｎｔｅｒｎａｌ  Ｈｅａｔ  Ｓｉｎｋ）、プリント回路板（Ｐｒｉｎｔｅｄ  Ｃｉｒｃｕｉｔ  Ｂｏａｒｄ）、及びコネクタを表示する図である。
【図４】図３に示される各素子の組み立て表示図である。
【図５】図２に示される方法の、図３に示される実施例中の、ボトムケーシングとバッテリーモジュールを表示する図である。
【図６】図５に示される各素子の組み立て表示図である。
【図７】図２に示される方法の、図３に示される実施例中の、プラグイン可能な外接モジュールを表示する図である。
【図８】図４、図６、図７に示される各素子の組み立て表示図である。
【図９】図２に示される方法の、別の実施例中の、外部ヒートシンク（Ｅｘｔｅｒｎａｌ  Ｈｅａｔ  Ｓｉｎｋ）を示す図である。
【図１０】図２に示される方法の、少なくとも一つの好適な実施例中の、内部電気システムを表示する図である。
【図１１】図２に示される方法の、図１０に示される実施例中の、一組の外接バランシング回路の表示図である。
【図１２】図１１に示される一組の外接バランシング回路中の外接バランシング回路のある実施例中の実施細部を表示する図である。
【図１３】図１２に示される発振器の、ある実施例中の実施細部を表示する図である。
【図１４】図２に示される方法の、別の実施例中の内部電気システムを表示する図である。
【図１５】図２に示される方法の、図１４に示される実施例中の、一組の外接バランシング回路の表示図である。
【図１６】図１５に示される該組の外接バランシング回路中の、一つの外接バランシング回路の一つの実施例中の実施細部を表示する図である。
【発明を実施するための形態】
【００１０】
図１は本発明の第１実施例による一種のプラグイン可能な（Ｐｌｕｇｇａｂｌｅ）メカニズムの助けによりバッテリーバランシング（Ｂａｌａｎｃｉｎｇ）コントロールを行う装置１００の表示図である。そのうち、装置１００は、電源供給装置の少なくとも一部分（たとえば一部分或いは全部）を包含し、該電源供給装置の例は、これに限定されるわけではないが、予備電源供給装置を包含し得る。たとえば、装置１００は、該電源供給装置の全体を包含し得る。また、たとえば、装置１００は、該電源供給装置中の、複数のモジュール中の少なくとも一つ、たとえば、複数の電源供給モジュール（Ｐｏｗｅｒ  Ｓｕｐｐｌｙ  Ｍｏｄｕｌｅ）中の少なくとも一つを包含し得る。これは説明の目的のための例示にすぎず、本発明に対して制限をするものではない。本実施例のある実施例、たとえば、該第１実施例のある変化例によると、装置１００は、該電源供給装置中の電気システムを包含し、該電気システムは、該電源供給装置の少なくとも一つのコントロール回路を包含する。本発明のある実施例、たとえば、該第１実施例のその他の変化例によると、装置１００は、該電気システム中の、バッテリー以外の部分を代表し、たとえば、上述の少なくとも一つのコントロール回路を代表し得る。本発明のある実施例、たとえば該第１実施例の他の変化例によると、装置１００は該電源供給装置を包含するシステムを代表し、該電源供給装置はこのシステムのサブシステムとされる。
【００１１】
図１に示されるように、装置１００は、少なくとも一つのケーシングたとえばアッパーケーシング１１０とボトムケーシング１２０を包含し、且つ、少なくとも一つの接続ポート、たとえば、接続ポート１４０と少なくとも一つのその他の接続ポート１４２を包含し、且つ別に上述の少なくとも一つのケーシング中に設置されたその他の素子（図示せず）を包含する。そのうち、上述の少なくとも一つのケーシング及びその内のこれらの素子が一つの電源供給モジュールを形成し、それは、上述の複数の電源供給モジュール中の任意の一つのものの一例とされる。注意すべきことは以下のとおりである。本実施例の接続ポート１４０とその他の接続ポート１４２はいずれも上述の少なくとも一つのケーシング、たとえばアッパーケーシング１１０の上に設置される。これは説明の目的のための例示であり、本発明を制限するものではない。本発明のある実施例、たとえば第１実施例のある変化例によると、接続ポート１４０とその他の接続ポート１４２は、上述の少なくとも一つの接続ポートの例として用いられ得る。これは説明の目的のための例示であり、本発明を制限するものではない。本発明のある実施例、たとえば第１実施例のある変化例によると、接続ポート１４０は、上述の少なくとも一つの接続ポートの例として用いられ得て、そのうち、ある変化例においては、上述の少なくとも一つの接続ポートはその他の接続ポート１４２を包含しない。
【００１２】
実施上、上述の複数の電源供給モジュール中の、各一つの電源供給モジュールは、一つのバッテリーパック（Ｂａｔｔｅｒｙ  Ｐａｃｋ）として実施され得て、図１に示される構造のようである。これにより、使用者にとっては、上述の複数の電源供給モジュールは、それぞれ独立構造のモジュールと見なされ得る。
【００１３】
図２は本発明の実施例のプラグイン可能なメカニズムの助けによりバッテリーバランシングコントロールを行う方法２００のフローチャートである。該方法は、図１に示される装置１００に応用され得る。該方法の説明は、以下のとおりである。
【００１４】
ステップ２１０において、プラグイン可能な外接モジュール（図２中には表示されず）を提供し、そのうち、該プラグイン可能な外接モジュールは、一組の外接バランシング回路と第１接続ポートを包含し、該組の外接バランシング回路は、それぞれ該電源供給装置中の一つの特定バッテリーモジュール（たとえば図１に示される構造が代表する電源供給モジュール中のバッテリーモジュール）の一組のバッテリーセルに対応する。該プラグイン可能な外接モジュールの実施細部については後述する。
【００１５】
ステップ２２０において、該特定バッテリーモジュールのケーシング（たとえば、図１に示される構造が代表する電源供給モジュールの上述の少なくとも一つのケーシング、たとえばアッパーケーシング１１０）上に、該第１接続ポートに対応する第２接続ポート（たとえば接続ポート１４０）を提供し、該プラグイン可能な外接モジュールが、該第１接続ポートと該第２接続ポートの形成するプラグイン可能なメカニズムの助けにより該特定バッテリーモジュールに接続されるようにし、これにより、該組の外接バランシング回路により、該組のバッテリーモジュールに対してバランシング動作を行なう。
【００１６】
理解しやすいように、図３から図８を参照されたい。図３は図２に示される方法２００の、ある実施例中のアッパーケーシング１１０、内部ヒートシンク（Ｉｎｔｅｒｎａｌ Ｈｅａｔ  Ｓｉｎｋ）１１２、プリント回路板（Ｐｒｉｎｔｅｄ  Ｃｉｒｃｕｉｔ  Ｂｏａｒｄ，ＰＣＢ）１１４、及びコネクタＣＯＮRJ45を表示する。図４は図３に示される各素子の組み立て表示図である。そのうち、本実施例のコネクタＣＯＮRJ45は、ＲＪ４５規格のコネクタとされ、たとえば、一般のパソコンに使用されるネットワークケーブル用のコネクタとされる。これは説明の目的のための例示であり、本発明を制限するものではない。本実施例のある変化例によると、コネクタＣＯＮRJ45は、その他のタイプのコネクタに置換可能である。このほか、図５には図２に示される方法２００の、図３に示される実施例中の、ボトムケーシング１２０とバッテリーモジュール１３０が表示されている。図６は、図５に示される各素子の組み立て表示図であり、そのうち、バッテリーモジュール１３０は、ステップ２１０で述べられた該特定バッテリーモジュールの一例とされる。図５に示されるバッテリーモジュール１３０中のこの組のバッテリーセルは、相互に直列に接続された四つのバッテリーセルを包含し得て、本実施例中のこの組のバッテリーセルは、ステップ２１０で述べられた該組のバッテリーセルの一例とされる。このほか、図７には図２に示される方法２００の、図３に示される実施例中の、プラグイン可能な外接モジュール１５０が示されている。図８は、図４、図６、及び図７に示される各素子の組み立て表示図であり、そのうち、プラグイン可能な外接モジュール１５０は、接続ポート１５２を包含する。注意すべきことは以下のとおりである。プラグイン可能な外接モジュール１５０はステップ２１０で述べられたプラグイン可能な外接モジュールの一例とされ得て、接続ポート１５２は、ステップ２１０で述べられた該第１接続ポートの一例とされ得る。
【００１７】
実施上、図３に示されるコネクタＣＯＮRJ45の少なくとも一部分は、図４中では上述の少なくとも一つのケーシング（たとえばアッパーケーシング１１０）において少なくとも一つの開口を露出しており、ゆえに、図４に示されるように、上述の少なくとも一つのケーシング上に、複数のコネクタ｛ＣＯＮRJ45｝を包含する接続ポート１４２が設置される。同様に、図３に示されるもう一つのコネクタ１１４１の少なくとも一部分は、図４中で少なくとも一つのケーシング（たとえばアッパーケーシング１１０）において少なくとも一つの開口を露出しており、ゆえに、図４に示されるように、上述の少なくとも一つのケーシング上に、該第１接続ポートに対応する該第２接続ポート、たとえば、コネクタ１１４１を包含する接続ポート１４０が設置される。
【００１８】
本実施例によると、装置１００は、電源供給モジュール、たとえば、図１に示される構造に代表される電源供給モジュールを包含し得る。そのうち、該電源供給モジュールは、該特定バッテリーモジュールたとえば図５に示されるバッテリーモジュール１３０を包含し、且つ別に上述の少なくとも一つのケーシングたとえばアッパーケーシング１１０とボトムケーシング１２０を包含する。特に、装置１００は、ステップ２１０で述べられた該プラグイン可能な外接モジュール、たとえば、図７に示されるプラグイン可能な外接モジュール１５０を包含し得て、そのうち、該電源供給モジュールは、該プラグイン可能な外接モジュール１５０に対応する。たとえば、該第２接続ポートたとえば接続ポート１４０は、複数の端子を包含し得て、該第２接続ポートの該複数の端子は、それぞれ該組のバッテリーセル、たとえば、図５に示されるバッテリーモジュール１３０中の該組のバッテリーセルに接続される。このほか、該第１接続ポートたとえば接続ポート１５２は複数の端子を包含し得て、該第１接続ポートの該複数の端子は、それぞれ上述の該組の外接バランシング回路に接続され得る。こうして、上述の少なくとも一つのケーシング（たとえばアッパーケーシング１１０）上に、該第１接続ポートに対応する該第２接続ポート、たとえば接続ポート１５２に対応する接続ポート１４０が設置され、プラグイン可能な外接モジュール１５０が、接続ポート１５２と接続ポート１４０の形成するプラグイン可能なメカニズムの助けにより、バッテリーモジュール１３０に接続され、特に、上述の該組の外接バランシング回路が、該プラグイン可能なメカニズムの助けによりそれぞれバッテリーモジュール１３０中の該組のバッテリーセルに接続できるようにし、これにより、該組の外接バランシング回路は、該組のバッテリーセルに対してバランシング動作を行う。
【００１９】
図３に示されるように、装置１００は、内部ヒートシンク１１２を包含する。こうして、方法２００は、別に、上述の少なくとも一つのケーシング内に少なくとも一つの内部ヒートシンク、たとえば内部ヒートシンク１１２を提供し、上述の少なくとも一つのケーシング内の少なくとも一つの素子（たとえば一組の内部バランシング回路、それは該組のバッテリーセルに対してバランシング動作を行う）の発生する熱を、上述の少なくとも一つの内部ヒートシンクと上述の少なくとも一つのケーシングを介して消散（Ｄｉｓｓｉｐａｔｅ）させるステップを包含する。本実施例中、該組の内部バランシング回路は、プリント回路板１１４に設置可能である。図３と図４に示される構造に基づき、内部ヒートシンク１１２は、上述の少なくとも一つ素子たとえば該組の内部バランシング回路より熱を吸収し、並びに上述の少なくとも一つのケーシングたとえばアッパーケーシング１１０は内部ヒートシンク１１２より熱を吸収し、熱を上述の少なくとも一つのケーシング外に消散させる。これはただ説明のために例示されたものであり、本発明を制限するものではない。図３に示される実施例のある変化例、たとえば図９に示される実施例によると、装置１００は、外部ヒートシンク（Ｅｘｔｅｒｎａｌ  Ｈｅａｔ  Ｓｉｎｋ）１１８を包含し得る。こうして、方法２００は、別に、以下のステップを包含し得る。すなわち、上述の少なくとも一つのケーシング上に、少なくとも一つの外部ヒートシンク、たとえば外部ヒートシンク１１８を提供し、上述の少なくとも一つのケーシングの内の少なくとも一つの素子（たとえば、上述の該組の内部バランシング回路）の発生する熱を、上述の少なくとも一つの内部ヒートシンク、上述の少なくとも一つのケーシング、及び上述の少なくとも一つの外部ヒートシンクを介して消散させる。特に、図３、図４、及び図９に示される構造に基づき、内部ヒートシンク１１２は、上述の少なくとも一つの素子たとえば該組の内部バランシング回路より熱を吸収し、上述の少なくとも一つのケーシングたとえば、アッパーケーシング１１０は内部ヒートシンク１１２より熱を吸収し、並びに上述の少なくとも一つの外部ヒートシンクたとえば外部ヒートシンク１１８は、上述の少なくとも一つのケーシングたとえばアッパーケーシング１１０より熱を吸収し、熱を上述の少なくとも一つのケーシング外に消散させる。
【００２０】
図８に示されるように、装置１００中の電源供給モジュールの数量は、一つ或いはそれより多いものとされ、且つ装置１００中のプラグイン可能な外接モジュールの数量は、一つ或いはそれより多いものとされる。これは説明の目的のための例示であり、本発明を制限するものではない。本発明のある実施例、たとえば図３に示される実施例のある変化例によると、装置１００中の電源供給モジュールの数量は一つより大きい。たとえば、該特定バッテリーモジュールたとえばバッテリーモジュール１３０は、電源供給装置中の相互に直列に接続された一組のバッテリーモジュール中の一つのバッテリーモジュールとされ、該組のバッテリーモジュール中の各一つは、該組のバッテリーモジュールの任意の一つのその他のバッテリーモジュールと同じである。特に、装置１００は、該組のバッテリーモジュール各自が所属する複数の電源供給モジュール（たとえば上述の複数の電源供給モジュール）を包含し、そのうち、該複数の電源供給モジュール中の各一つは、該複数の電源供給モジュール中の任意の一つのその他の電源供給モジュールと同じである。また、たとえば、装置１００中の電源供給モジュールの数量が一つより大きくてもよいのみならず、装置１００中のプラグイン可能な外接モジュールの数量も一つより大きくてもよい。特に、装置１００は、それぞれ該複数の電源供給モジュールに対応する複数のプラグイン可能な外接モジュールを包含し得て、そのうち、該複数のプラグイン可能な外接モジュールの各一つは、該複数のプラグイン可能な外接モジュール中の任意の一つのその他のプラグイン可能な外接モジュールと同じである。
【００２１】
図１０は図２に示される方法２００の、少なくとも一つの好ましい実施例中の内部電気システムを示し、そのうち、接続ポート１４０は、一組の端子｛ＶC0，ＶC1，ＶC2，ＶC3，ＶC4，ＶD1，ＶD2，ＶD3，ＶD4｝を包含し得て、該組の端子｛ＶC0，ＶC1，ＶC2，ＶC3，ＶC4，ＶD1，ＶD2，ＶD3，ＶD4｝中の少なくとも一部の端子、たとえば、端子｛ＶC0，ＶC1，ＶC2，ＶC3，ＶC4｝は、図３から図８に示される実施例の接続ポート１４０の該複数の端子の一例とされ得る。
【００２２】
図１０に示される構造によると、該内部電気システムは、一組のバッテリーセル｛Ｂ１，Ｂ２，Ｂ３，Ｂ４｝を包含し、該組のバッテリーセル｛Ｂ１，Ｂ２，Ｂ３，Ｂ４｝は、図３から図８に示される実施例の、該組のバッテリーセルの一例とされ得る。そのうち、端子｛ＶBAT-，ＶBAT+｝は、該組のバッテリーセル｛Ｂ１，Ｂ２，Ｂ３，Ｂ４｝の全体の対外端子として用いられ得る。必要時には、端子ＶBAT-は選択的に接地される。これはただ説明のために例示されたものであり、本発明を制限するものではない。たとえば、装置１００中の電源供給モジュールの数量が一つより大きい状況では、上述の相互に直列に接続された該組のバッテリーモジュール中、最多でもただ一組のバッテリーモジュールの端子ＶBAT-のみが接地でき、該組のバッテリーモジュール中のその他の組のバッテリーモジュールは、この一組のバッテリーモジュール（その端子ＶBAT-が接地する）の端子ＶBAT+に直列に接続される。このほか、端子｛ＶB0，ＶB1，ＶB2，ＶB3，ＶB4｝は、該組のバッテリーセル｛Ｂ１，Ｂ２，Ｂ３，Ｂ４｝中の、各バッテリーセルの対外端子として用いられ得る。たとえば、端子｛ＶB0，ＶB1｝は、バッテリーセルＢ１の対外端子として用いられ得る。また、たとえば、端子｛ＶB1，ＶB2｝は、バッテリーセルＢ２の対外端子として用いられ得る。また、たとえば、端子｛ＶB2，ＶB3｝は、バッテリーセルＢ３の対外端子として用いられ得る。また、たとえば、端子｛ＶB3，ＶB4｝は、バッテリーセルＢ４の対外端子として用いられ得る。
【００２３】
本実施例によると、該内部電気システムは、検出回路３１０及びバッテリー管理回路３２０を包含し得る。該バッテリー管理回路３２０は、検出回路３１０の該組のバッテリーセル｛Ｂ１，Ｂ２，Ｂ３，Ｂ４｝に対する検出結果（たとえば、該組のバッテリーセル｛Ｂ１，Ｂ２，Ｂ３，Ｂ４｝の各端子の電圧レベル）に基づき、該組のバッテリーセル｛Ｂ１，Ｂ２，Ｂ３，Ｂ４｝のバランシングコントロールを行う。特に、検出回路３１０は、該組のバッテリーセル｛Ｂ１，Ｂ２，Ｂ３，Ｂ４｝にそれぞれ対応する一組のコンデンサ｛Ｃ（１），Ｃ（２），Ｃ（３），Ｃ（４）｝を包含し得て、且つ別に一組の抵抗器｛Ｒ0（０），Ｒ0（１），Ｒ0（２），Ｒ0（３），Ｒ0（４）｝を包含し得る。該組の抵抗器｛Ｒ0（０），Ｒ0（１），Ｒ0（２），Ｒ0（３），Ｒ0（４）｝は、それぞれ該組のバッテリーセル｛Ｂ１，Ｂ２，Ｂ３，Ｂ４｝の各端子及び該組のコンデンサ｛Ｃ（１），Ｃ（２），Ｃ（３），Ｃ（４）｝の各端子の間の一組の抵抗器｛Ｒ0（０），Ｒ0（１），Ｒ0（２），Ｒ0（３），Ｒ0（４）｝の間に接続される。注意されたいことは以下のとおりである。本実施例のバッテリー管理回路３２０は、少なくとも一つのゲーティングロジック回路（たとえば一つ或いは複数のゲーティングロジック回路）を利用して実施され、そのうち、上述の少なくとも一つのゲーティングロジック回路は、複数のロジックゲート及び関係するコントロール回路を包含する。これはただ説明のために例示されたものであり、本発明を制限するものではない。本発明のある実施例、たとえば図１０に示される実施例のある変化例によると、バッテリー管理回路３２０は、マイクロプロセッサ及び該マイクロプロセッサの周辺回路を包含し得る。
【００２４】
このほか、該内部電気システムは、また、それぞれ該組のバッテリーセル｛Ｂ１，Ｂ２，Ｂ３，Ｂ４｝に対応する一組の内部バランシング回路｛３３０−１，３３０−２，３３０−３，３３０−４｝を包含し得る。該組の内部バランシング回路｛３３０−１，３３０−２，３３０−３，３３０−４｝は、図３から図８に示される実施例の該組の内部バランシング回路の一例とされる。たとえば、バッテリーセルＢ１に対応する内部バランシング回路３３０−１は、ＭＯＳＦＥＴ（ｍｅｔａｌ  ｏｘｉｄｅ  ｓｅｍｉｃｏｎｄｕｃｔｏｒ  ｆｉｅｌｄ  ｅｆｆｅｃｔ  ｔｒａｎｓｉｓｔｏｒ）Ｑ（１）及び複数の抵抗器たとえば抵抗器｛Ｒ1（１），Ｒ2（１）｝を包含し得て、そのうち、ダイオード（Ｄｉｏｄｅ）Ｄ（１）は、該ＭＯＳＦＥＴ  Ｑ（１）内部のアンチパラレルダイオード（Ａｎｔｉ−ｐａｒａｌｌｅｌ  Ｄｉｏｄｅ）として実施され、端子ＣＢ１は該ＭＯＳＦＥＴ  Ｑ（１）のゲートを制御して、この内部バランシング回路３３０−１を選択的にイネーブル（Ｅｎａｂｌｅ）するかディスエーブル（Ｄｉｓａｂｌｅ）する。また、たとえば、バッテリーセルＢ２に対応する内部バランシング回路３３０−２は、ＭＯＳＦＥＴ  Ｑ（２）及び複数の抵抗器たとえば抵抗器｛Ｒ1（２），Ｒ2（２）｝を包含し得る。そのうち、ダイオード（Ｄｉｏｄｅ）Ｄ（２）は、該ＭＯＳＦＥＴ  Ｑ（２）内部のアンチパラレルダイオードとして実施され、端子ＣＢ２は該ＭＯＳＦＥＴ  Ｑ（２）のゲートを制御して、この内部バランシング回路３３０−２を選択的にイネーブルするかディスエーブルする。また、たとえば、バッテリーセルＢ３に対応する内部バランシング回路３３０−３は、ＭＯＳＦＥＴ  Ｑ（３）及び複数の抵抗器たとえば抵抗器｛Ｒ1（３），Ｒ2（３）｝を包含し得る。そのうち、ダイオード（Ｄｉｏｄｅ）Ｄ（３）は、該ＭＯＳＦＥＴ  Ｑ（３）内部のアンチパラレルダイオードとして実施され、端子ＣＢ３は該ＭＯＳＦＥＴ  Ｑ（３）のゲートを制御して、この内部バランシング回路３３０−３を選択的にイネーブルするかディスエーブルする。また、たとえば、バッテリーセルＢ４に対応する内部バランシング回路３３０−４は、ＭＯＳＦＥＴ  Ｑ（４）及び複数の抵抗器たとえば抵抗器｛Ｒ1（４），Ｒ2（４）｝を包含し得る。そのうち、ダイオード（Ｄｉｏｄｅ）Ｄ（４）は、該ＭＯＳＦＥＴ  Ｑ（４）内部のアンチパラレルダイオードとして実施され、端子ＣＢ４は該ＭＯＳＦＥＴ  Ｑ（４）のゲートを制御して、この内部バランシング回路３３０−４を選択的にイネーブルするかディスエーブルする。
【００２５】
図１０に示される構造に基づき、バッテリー管理回路３２０は、該組の内部バランシング回路｛３３０−１，３３０−２，３３０−３，３３０−４｝中の任意の一つの内部バランシング回路をイネーブルして、該組のバッテリーセル｛Ｂ１，Ｂ２，Ｂ３，Ｂ４｝中の対応するバッテリーセルのエネルギーを消耗できる。たとえば、上述の検出結果が、該組のバッテリーセル｛Ｂ１，Ｂ２，Ｂ３，Ｂ４｝中のある一つのバッテリーセルＢiの二つの端子の間の電圧が、該組のバッテリーセル｛Ｂ１，Ｂ２，Ｂ３，Ｂ４｝のそれぞれの二つの端子の間の電圧の平均値を超過する時、バッテリー管理回路３２０は、該組の内部バランシング回路｛３３０−１，３３０−２，３３０−３，３３０−４｝中の、この一つのバッテリーセルＢiに対応する内部バランシング回路３３０−ｉをイネーブルし、抵抗器Ｒ1（ｉ）を利用してバッテリーセルＢiのエネルギーを消耗し（及び又はパッシブバランシング動作を行う）、そのうち、インデックスｉは、区間［１，４］の範囲の正の整数とされ得る。これはただ説明のために例示されたにすぎず、本発明を制限するものではない。本発明のある実施例、たとえば図１０に示される実施例のある変化例によると、バッテリーモジュール１３０中のバッテリーセルの数量は変更可能であり、対応する内部バランシング回路の数量は、バッテリーモジュール１３０中のバッテリーセルの数量に等しくされ得て、ゆえに、インデックスｉの範囲もまたそれに対応して変化し得る。
【００２６】
図１０に示される実施例の変化例によると、上述の検出結果が、該組のバッテリーセル｛Ｂ１，Ｂ２，Ｂ３，Ｂ４｝のある一つのバッテリーセルＢiの二つの端子間の電圧が、が組のバッテリーセル｛Ｂ１，Ｂ２，Ｂ３，Ｂ４｝の各自の二つの端子の間の電圧の平均値を超過することを示し、並びにこの一つのバッテリーセルＢiの二つの端子間の電圧より該平均値を減じて得られる差の値が、所定スレショルド値に達するとき、バッテリー管理回路３２０は、該組の内部バランシング回路｛３３０−１，３３０−２，３３０−３，３３０−４｝中の、この一つのバッテリーセルＢiに対応する内部バランシング回路３３０−ｉをイネーブルし、抵抗器Ｒ1（ｉ）を利用してバッテリーセルＢiのエネルギーを消耗し（及び又はパッシブバランシング動作を行う）、そのうち、インデックスｉは、区間［１，４］の範囲の正の整数とされ得る。これはただ説明のために例示されたにすぎず、本発明を制限するものではない。図１０に示される実施例のある変化例によると、バッテリーモジュール１３０中のバッテリーセルの数量は変更可能であり、対応する内部バランシング回路の数量は、バッテリーモジュール１３０中のバッテリーセルの数量に等しくされ得て、ゆえに、インデックスｉの範囲もまたそれに対応して変化し得る。
【００２７】
実施上、図１０に示される実施例中、抵抗器｛Ｒ0（０），Ｒ0（１），Ｒ0（２），Ｒ0（３），Ｒ0（４）｝各自の抵抗値は、それぞれ５１０Ω（Ｏｈｍ）に等しくされ得て、抵抗器｛Ｒ1（１），Ｒ1（２），Ｒ1（３），Ｒ1（４）｝各自の抵抗値は、それぞれ１３．３Ωに等しくされ得て、且つ抵抗器｛Ｒ2（１），Ｒ2（２），Ｒ2（３），Ｒ2（４）｝各自の抵抗値は、それぞれ１ＫΩに等しくされ得る。そのうち、符号「Ｋ」は１０3を代表する。これはただ説明のために例示されたものであり、本発明を制限するものではない。図１０に示される実施例のある変化例によると、これらの抵抗器中の少なくとも一部分の抵抗器（たとえば、抵抗器｛Ｒ0（０），Ｒ0（１），Ｒ0（２），Ｒ0（３），Ｒ0（４）｝、抵抗器｛Ｒ1（１），Ｒ1（２），Ｒ1（３），Ｒ1（４）｝、或いは抵抗器｛Ｒ2（１），Ｒ2（２），Ｒ2（３），Ｒ2（４）｝、また、たとえば、抵抗器｛Ｒ0（０），Ｒ0 （１），Ｒ0（２），Ｒ0（３），Ｒ0（４），Ｒ1（１），Ｒ1（２），Ｒ1（３），Ｒ1（４），Ｒ2（１），Ｒ2（２），Ｒ2（３），Ｒ2（４）｝の抵抗値は変更可能である。
【００２８】
このほか、図３から図８に示される実施例に記載されているように、上述の少なくとも一つのケーシングの内のこれらの素子は、上述の該組の内部バランシング回路を包含する。該装置１００は、少なくとも一つの判断回路（図１０には表示されず）を包含し得て、それは、プラグイン可能な外接モジュール１５０が該特定バッテリーモジュールたとえばバッテリーモジュール１３０に接続されているか否かに基づき、該内部バランシング回路を選択的にディスエーブルするのに用いられる。たとえば、上述の少なくとも一つの判断回路は、上述の少なくとも一つのケーシングの内に設置され得る（特に図１に示される構造に代表される電源供給モジュール中）。特に、プラグイン可能な外接モジュール１５０が該特定バッテリーモジュールたとえばバッテリーモジュール１３０に接続されていることを検出すると、上述の少なくとも一つの判断回路は、該組の内部バランシング回路をディスエーブルできる。そうでなければ、上述の少なくとも一つの判断回路は、該組の内部バランシング回路を選択的にイネーブルでき、該組の内部バランシング回路を利用し、バランシング動作を実行する。実施上、上述の少なくとも一つの判断回路が、上述の少なくとも一つのケーシングの内に設置された状況では、上述の少なくとも一つの判断回路は、バッテリー管理回路３２０を利用して実施可能で、並びに、たとえば、上述の少なくとも一つの判断回路は、上述の少なくとも一つのゲーティングロジック回路に整合可能である。特に、プラグイン可能な外接モジュール１５０が該特定バッテリーモジュールたとえばバッテリーモジュール１３０に世知属されていることを検出すると、上述の少なくとも一つの判断回路は、該組の内部バランシング回路をディスエーブルできる。こうして、方法２００は、また、以下を包含し得る。すなわち、上述の少なくとも一つのケーシングの内に前述の内部バランシング回路（すなわち、図３から図８に示される実施例の該組のバッテリーセル）、たとえば、図１０に示される構造中の該組の内部バランシング回路｛３３０−１，３３０−２，３３０−３，３３０−４｝を設置し、プラグイン可能な外接モジュール１５０が、未だ該プラグイン可能なメカニズムの助けにより該特定バッテリーモジュールたとえばバッテリーモジュール１３０に接続されていない状況で、該組の内部バランシング回路を利用して、該組のバッテリーセル｛Ｂ１，Ｂ２，Ｂ３，Ｂ４｝に対してバランシング動作を実行する。たとえば、該組の内部バランシング回路は「パッシブバランシング回路」（それは無電源バランシング回路であり、バッテリーに対してバランシング動作を実行するときに、電源を必要としないバランシング回路である）とされ、ステップ２１０に記載の該組の外接バランシング回路は、「アクティブバランシング回路」（それは有電源バランシング回路であり、モニタリングを行うことで、バッテリーに対してバランシング動作を実行するか否かを決定し、及び又はモニタリング或いはバッテリーに対してバランシング動作を実行するときに電源を必要とするバランシング回路である）であり、そのうち、図１０に示される構造中の該組の内部バランシング回路｛３３０−１，３３０−２，３３０−３，３３０−４｝は、パッシブバランシング回路の例である。これはただ説明のために例示されたものであり、本発明を制限するものではない。本実施例のある変化例によると、該組の内部バランシング回路の構造は変更可能である。たとえば、該組の内部バランシング回路は、少なくとも一つのアクティブバランシング回路を包含し得る。また、たとえば、該組の内部バランシング回路は、少なくとも一つのアクティブバランシング回路と少なくとも一つのパッシブバランシング回路を包含し得る。本実施例のある変化例によると、プラグイン可能な外接モジュール１５０が、プラグイン可能なメカニズムの助けにより該特定バッテリーモジュールたとえばバッテリーモジュール１３０に接続されているかいないかに関わらず、該組の内部バランシング回路はいずれも該組のバッテリーセル｛Ｂ１，Ｂ２，Ｂ３，Ｂ４｝に対してバランシング動作を行う。
【００２９】
本実施例のあるその他の変化例によると、上述の少なくとも一つの判断回路は、プラグイン可能な外接モジュール１５０が該特定バッテリーモジュールのバッテリーモジュール１３０に接続されているかにより、該組の外接バランシング回路の少なくとも一部分を選択的にイネーブルする。たとえば、上述の少なくとも一つの判断回路は、上述の少なくとも一つのケーシング内に設置される（特に、図１に示される構造に代表される電源供給モジュール中）。また、たとえば、上述の少なくとも一つの判断回路は、プラグイン可能な外接モジュール１５０の内に設置可能である。こうして、方法２００はまた、以下を包含し得る。すなわち、プラグイン可能な外接モジュール１５０或いは上述の少なくとも一つのケーシングの内に、上述の少なくとも一つの判断回路を提供し、該組の外接バランシング回路の少なくとも一部分をイネーブルするか否かを決定するのに供する。実施上、プラグイン可能な外接モジュール１５０が、該特定バッテリーモジュールたとえばバッテリーモジュール１３０に接続されていることが検出されると、上述の少なくとも一つの判断回路は該組の外接バランシング回路の該少なくとも一部分をイネーブルする。
【００３０】
図１１は図２に示される方法２００の、図１０に示される実施例中の一組の外接バランシング回路｛１５１−１，１５１−２，１５１−３，１５１−４｝を示し、そのうち、接続ポート１５２は一組の端子｛Ｖc（０），Ｖc（１），Ｖc（２），Ｖc（３），Ｖc（４），ＶD（１），ＶD（２），ＶD（３），ＶD（４）｝を包含し得て、該組の端子｛Ｖc（０），Ｖc（１），Ｖc（２），Ｖc（３），Ｖc（４），ＶD（１），ＶD（２），ＶD（３），ＶD（４）｝中の少なくとも一部分の端子、たとえば、端子｛Ｖc（０），Ｖc（１），Ｖc（２），Ｖc（３），Ｖc（４）｝は、図３から図８に示される実施例の接続ポート１５２の該複数の端子の一例とされ得る。このほか、本実施例の該組の外接バランシング回路｛１５１−１，１５１−２，１５１−３，１５１−４｝は、ステップ２１０に記載の該組の外接バランシング回路の例とされる。
【００３１】
図１１に示される構造によると、接続ポート１５２の該組の端子｛Ｖc（０），Ｖc（１），Ｖc（２），Ｖc（３），Ｖc（４），ＶD（１），ＶD（２），ＶD（３），ＶD（４）｝は、それぞれ接続ポート１４０の該組の端子｛ＶC0，ＶC1，ＶC2，ＶC3，ＶC4，ＶD1，ＶD2，ＶD3，ＶD4｝に対応する。プラグイン可能な外接モジュール１５０が該プラグイン可能なメカニズムの助けにより、該特定バッテリーモジュールたとえばバッテリーモジュール１３０に接続される状況では、接続ポート１５２の該組の端子｛Ｖc（０），Ｖc（１），Ｖc（２），Ｖc（３），Ｖc（４），ＶD（１），ＶD（２），ＶD（３），ＶD（４）｝は、それぞれ、接続ポート１４０の該組の端子｛ＶC0，ＶC1，ＶC2，ＶC3，ＶC4，ＶD1，ＶD2，ＶD3，ＶD4｝に電気的に接続される。
【００３２】
図１２には、図１１に示される該組の外接バランシング回路｛１５１−１，１５１−２，１５１−３，１５１−４｝中の一つの外接バランシング回路１５１−ｉの、一つの実施例における実施細部を示し、そのうち、インデックスｉは、区間［１，４］の範囲にある正の整数とされる。これはただ説明のために例示されたものにすぎず、本発明を制限するものではない。本発明のある実施例、たとえば図１０に示される実施例のある変化例によると、バッテリーモジュール１３０中のバッテリーセルの数量は変更可能であり、ゆえにインデックスｉの範囲もまたそれに対応して変更され得る。
【００３３】
図１２に示されるように、外接バランシング回路１５１−ｉは発振器４１０、切り換えユニット４２０、複数のコンデンサ、複数のＭＯＳＦＥＴ、少なくとも一つの捲線、複数のバイポーラジャンクショントランジスタ（Ｂｉｐｏｌａｒ  Ｊｕｎｃｔｉｏｎ  Ｔｒａｎｓｉｓｔｏｒ，ＢＪＴ）、複数の抵抗器たとえば抵抗器Ｒ１０（ｉ）．．．等を包含し得る。発振器４１０は、発振信号を生成するのに用いられ、切り換えユニット４２０は端子Ｅｎ（ｉ）上のコントロール信号がローレベルにあれば、選択的に発振器４１０の出力端子を次のステージに導通させ、そのうち、このコントロール信号のローレベル、ハイレベルは、切り換えユニット４２０を閉路（Ｃｌｏｓｅ）と開路（Ｏｐｅｎ）させるのに用いられる。たとえば、このコントロール信号がローレベルにあるとき、切り換えユニット４２０は閉路状態とされ（図１２中では「閉」と表示される）、発振器４１０の出力端子は次のステージに導通する。また、たとえば、このコントロール信号がハイレベルにあるとき、切り換えユニット４２０は開路状態とされ（図１２中では「開」と表示される）、発振器４１０の出力端子は次のステージに導通不能となる。上述の端子Ｅｎ（ｉ）は、イネーブル端子として用いられ得る。端子Ｅｎ（ｉ）は接続ポート１５２の該組の端子｛Ｖc（０），Ｖc（１），Ｖc（２），Ｖc（３），Ｖc（４），ＶD（１），ＶD（２），ＶD（３），ＶD（４）｝中の端子ＶD（ｉ）に電気的に接続されるため、プラグイン可能な外接モジュール１５０が、該プラグイン可能なメカニズムの助けにより、該特定バッテリーモジュールたとえばバッテリーモジュール１３０に接続された状況で、端子Ｅｎ（ｉ）は端子ＶD（ｉ）を介して、接続ポート１４０の該組の端子｛ＶC0，ＶC1，ＶC2，ＶC3，ＶC4 ，ＶD1，ＶD2，ＶD3，ＶD4｝中の、対応する端子ＶDiに電気的に接続される。このほか、理解しやすいように、外接バランシング回路１５１−ｉ中のある信号経路上には、信号波形の符号が表示されている。ただし、これはただ説明のために例示されたものであり、本発明を制限するものではない。このほか、図１２の左上角に示されるコンデンサのプラス端子上の電圧レベルＶBS（ｉ）は、発振器４１０の電源として用いられ得て、このコンデンサと端子Ｖc（ｉ）の間の経路上のＭＯＳＦＥＴは、発振器４１０の電源のスイッチと見なされ得る。そのうち、このＭＯＳＦＥＴは、端子Ｅｎ（ｉ）上の該コントロール信号がオンである状況で、電圧レベルＶBS（ｉ）を維持するのに必要な電気エネルギーを、接続ポート１４０と１５２を介して、該組のバッテリーセル｛Ｂ１，Ｂ２，Ｂ３，Ｂ４｝中の、外接バランシング回路１５１−ｉに対応するバッテリーセルＢiより取得する。注意すべきことは以下のとおりである。外接バランシング回路１５１−ｉ中には、もう一種の接地符号（それは図１０の最も下部に示される接地符号とは異なる）が描かれ、そのうち、該もう一種の接地符号は、外接バランシング回路１５１−ｉの局部接地（Ｌｏｃａｌ Ｇｒｏｕｎｄ）を代表し、装置１００の広域接地（Ｇｌｏｂａｌ  Ｇｒｏｕｎｄ）を代表するのではない。装置１００の正常動作への影響を防止するため、該組の外接バランシング回路｛１５１−１，１５１−２，１５１−３，１５１−４｝各自の局部接地は、相互に接続されてはならない。
【００３４】
図１２に示される構造中、その他の部分は、バランシング動作を実行するのに用いられ、特に、それはアクティブバランシング動作とされる。たとえば、外接バランシング回路１５１−ｉは、図１２の左上角に示される捲線を利用し、対応するバッテリーセルＢiのエネルギーを、該組のバッテリーセル｛Ｂ１，Ｂ２，Ｂ３，Ｂ４｝中の、その他のバッテリーセル中の少なくとも一部分のバッテリーセル（たとえば、その他のバッテリーセル中の一つ或いは複数のバッテリーセル）に伝送する。また、たとえば、外接バランシング回路１５１−ｉは、図１２の左上角に示される捲線を利用し、エネルギーを対応するバッテリーセルＢiに入力し、特にそれは、エネルギーを該組のバッテリーセル｛Ｂ１，Ｂ２，Ｂ３，Ｂ４｝中のその他のバッテリーセル中の少なくとも一部分のバッテリーセル（たとえば上述のその他のバッテリーセル中の一つ或いは複数のバッテリーセル）より対応するバッテリーセルＢiに伝送する。
【００３５】
注意すべきことは以下のとおりである。前述されたように、図１２の左上角に示されるコンデンサのプラス端子上の電圧レベルＶBS（ｉ）は、発振器４１０の電源として用いられ得て、このコンデンサと端子Ｖc（ｉ）の間の経路上のＭＯＳＦＥＴは、発振器４１０の電源のスイッチと見なされ得る。これはただ説明のために例示されたものであり、本発明を制限するものではない。本実施例のある変化例によると、このスイッチの設置は必ずしも必要でなく、並びにもともとこのスイッチの左右両側に位置する接続線は、相互に導通するよう改められる。特に、本変化例中、このＭＯＳＦＥＴ及びこのＭＯＳＦＥＴ上方のダイオードの設置は必ずしも必要ではない。そのうち、電圧レベルＶBS（ｉ）を維持するのに必要な電気エネルギーは、随時接続ポート１４０と１５２を介して該組のバッテリーセル｛Ｂ１，Ｂ２，Ｂ３，Ｂ４｝中の外接バランシング回路１５１−ｉに対応するバッテリーセルＢiより取得される。
【００３６】
図１３は図１２に示される発振器４１０の、ある実施例中の実施細部である。本実施例の発振器４１０は、少なくとも一つのこのコンデンサたとえばコンデンサＣ２（ｉ）、少なくとも一つのオペアンプＯＰ（ｉ）、複数の抵抗器たとえば抵抗器｛Ｒ１（ｉ），Ｒ４（ｉ），Ｒ５（ｉ）｝．．．等を包含し得て、図１２の左上角に示されるコンデンサのプラス端子上の電圧レベルＶBS（ｉ）は、オペアンプＯＰ（ｉ）の電源として用いられ、並びに抵抗器Ｒ５（ｉ）は所定電圧レベルたとえば３．３Ｖの電圧レベルに接続され、そのうち、符号「Ｖ」はボルト（Ｖｏｌｔ）を代表する。これはただ説明のために例示されたものであり、本発明を制限するものではない。本実施例のある変化例によると、発振器４１０の構造は変更可能である。
【００３７】
注意すべきことは以下のとおりである。図１３の左上角に示されるコンデンサのプラス端子上の電圧レベルＶBS（ｉ）は、オペアンプＯＰ（ｉ）の電源のスイッチと見なされ得る。これはただ説明のために例示されたものであり、本発明を制限するものではない。本実施例のある変化例によると、このスイッチの設置は必要ではなく、並びにもともとこのスイッチの左右両側に位置する接続線は、相互に導通するように改められる。特に、本変化例中、このＭＯＳＦＥＴ及びこのＭＯＳＦＥＴ上方のダイオードは設置する必要がなく、そのうち、電圧レベルＶBS（ｉ）を維持するのに必要な電気エネルギーは、接続ポート１４０と１５２を介して、該組のバッテリーセル｛Ｂ１，Ｂ２，Ｂ３，Ｂ４｝中の、外接バランシング回路１５１−ｉに対応するバッテリーセルＢiより取得される。
【００３８】
図１４は、図２に示される方法２００の、もう一つの実施例中の、内部電気システムを示す。図１０に示される構造と比較すると、本実施例中の端子｛ＶD（１），ＶD（２），ＶD（３），ＶD（４）｝ は、それぞれ上述の端子｛ＣＢ１，ＣＢ２，ＣＢ３，ＣＢ４｝に電気的に接続され、直接には抵抗器｛Ｒ1（１），Ｒ1（２），Ｒ1（３），Ｒ1（４）｝の端子に接続されない。本実施例の、前述の実施例又は変化例と同様のところは重複して説明しない。
【００３９】
図１５は図２に示される方法２００の、図１４に示される実施例中の一組の外接バランシング回路｛５５１−１，５５１−２，５５１−３，５５１−４｝を示す。本実施例の接続ポート１５２は図１１に示される実施例中の接続ポート１５２と同等とされ得る。このほか、図１４に示される構造の変更により、上述の該組の外接バランシング回路｛５５１−１，５５１−２，５５１−３，５５１−４｝は、ステップ２１０に記載される該組の外接バランシング回路の例とされ得る。本実施例と前述の実施例又は変化例と同様のところは重複して説明しない。
【００４０】
図１６は図１５に示される該組の外接バランシング回路｛５５１−１，５５１−２，５５１−３，５５１−４｝中の外接バランシング回路５５１−ｉの、ある実施例中の実施細部を示す。図１２に示される構造と比較すると、上述の切り換えユニット４２０は、本実施例では、切り換えユニット６２０に置換され、そのコントロール信号の変更により、切り換えユニット６２０は端子Ｅｎ（ｉ）上のコントロール信号がハイレベルにあるか否かにより、発振器４１０の出力端子を選択的に次のステージに導通させる。そのうち、このコントロール信号のハイレベル、ローレベルは、それぞれ切り換えユニット６２０を開路（Ｃｌｏｓｅ）と開路（Ｏｐｅｎ）させるのに用いられる。たとえば、このコントロール信号がハイレベルにあるとき、切り換えユニット６２０は閉路状態とされ（図１６には「閉」と表示される）、発振器６１０の出力端子を次のステージに導通させる。またたとえば、このコントロール信号がローレベルにあるとき、切り換えユニット６２０は開路状態とされ（図１６中の表示は「開」とされる）、発振器６１０の出力端子は次のステージに導通不能となる。このほか、図１２に示される構造と比較すると、図１６の左上角に示されるＭＯＳＦＥＴのゲート及び端子Ｅｎ（ｉ）の間にインバータが設置され、そのうち、このＭＯＳＦＥＴは端子Ｅｎ（ｉ）上の該コントロール信号のインバータ信号がオンの状況で、電圧レベルＶBS（ｉ）を維持するのに必要な電気エネルギーは、接続ポート１４０と１５２を介して、該組のバッテリーセル｛Ｂ１，Ｂ２，Ｂ３，Ｂ４｝中の外接バランシング回路５５１−ｉに対応するバッテリーセルＢiより取得される。本実施例の前述の実施例又は変化例と同様のところは、重複して説明しない。
【００４１】
注意すべきことは以下のとおりである。図１６の左上角に示されるコンデンサのプラス端子上の電圧レベルＶBS（ｉ）は、発振器４１０の電源として用いられ得て、このコンデンサと端子Ｖc（ｉ）の間の経路上のＭＯＳＦＥＴは発振器４１０の電源のスイッチと見なされ得る。これはただ説明のために例示されたものであり、本発明を制限するものではない。本実施例のある変化例によると、このスイッチの設置は必要ではなく、並びにもともとこのスイッチの左右両側に位置していた接続線は相互に導通するように改められる。特に、本変化例中、このＭＯＳＦＥＴ、このＭＯＳＦＥＴ上方のダイオード、及び上述のインバータの設置は必要ではなく、そのうち、電圧レベルＶBS（ｉ）を維持するのに必要な電気エネルギーは、随時、接続ポート１４０と１５２を介して、随時、該組のバッテリーセル｛Ｂ１，Ｂ２，Ｂ３，Ｂ４｝中の、外接バランシング回路５５１−ｉに対応するバッテリーセルＢiより取得され得る。
【符号の説明】
【００４２】
１００                                プラグイン可能なメカニズムの助けによりバッテリーバランシングコントロールを行う装置
１１０                                アッパーケーシング
１１２                                内部ヒートシンク
１１４                                プリント回路板
１１４１，ＣＯＮRJ45                  コネクタ
１１８                                外部ヒートシンク
１２０                                ボトムケーシング
１３０                                バッテリーモジュール
１４０、１４２、１５２                接続ポート
１５０、５５０                        プラグイン可能な外接モジュール
１５１−１、１５１−２、１５１−３、１５１−４、１５１−ｉ、
５５１−１、５５１−２、５５１−３、５５１−４、５５１−ｉ
外接バランシング回路
２００                                プラグイン可能なメカニズムの助けによりバッテリーバランシングコントロールを行う方法
２１０、２２０                        ステップ
３１０                                検出開路
３２０                                バッテリー管理回路
３３０−１、３３０−２、３３０−３、３３０−４
内部バランシング回路
４１０                                発振器
４２０、６２０                        切り換えユニット
Ｂ１、Ｂ２、Ｂ３、Ｂ４                バッテリーセル
Ｃ（１）、Ｃ（２）、Ｃ（３）、Ｃ（４）、Ｃ２（ｉ）
コンデンサ
ＣＢ１、ＣＢ２、ＣＢ３、ＣＢ４、Ｅｎ（ｉ）、
ＶBAT- 、ＶBAT+ 、
ＶB0 、ＶB1 、ＶB2 、ＶB3 、ＶB4 、
ＶC0 、ＶC1 、ＶC2 、ＶC3 、ＶC4 、
Ｖc（０）、Ｖc（１）、Ｖc（２）、Ｖc（３）、Ｖc（４）、
ＶD1 、ＶD2 、ＶD3 、ＶD4 、
ＶD（１）、ＶD（２）、ＶD（３）、ＶD（４）、
Ｖc（ｉ−１）、Ｖc（ｉ）、ＶD（ｉ）
端子
Ｄ（１）、Ｄ（２）、Ｄ（３）、Ｄ（４）
ダイオード
ＯＰ（ｉ）                            オペアンプ
Ｑ（１）、Ｑ（２）、Ｑ（３）、Ｑ（４）
ＭＯＳＦＥＴ
Ｒ0（０）、Ｒ0（１）、Ｒ0（２）、Ｒ0（３）、Ｒ0（４）、
Ｒ1（１）、Ｒ1（２）、Ｒ1（３）、Ｒ1（４）、
Ｒ2（１）、Ｒ2（２）、Ｒ2（３）、Ｒ2（４）、
Ｒ１（ｉ）、Ｒ４（ｉ）、Ｒ５（ｉ）、Ｒ１０（ｉ）
抵抗器
ＶBS（ｉ）                            電圧レベル
【図１】
2015100216.tif 000003
【図２】
2015100216.tif 000004
【図３】
2015100216.tif 000005
【図４】
2015100216.tif 000006
【図５】
2015100216.tif 000007
【図６】
2015100216.tif 000008
【図７】
2015100216.tif 000009
【図８】
2015100216.tif 000010
【図９】
2015100216.tif 000011
【図１０】
2015100216.tif 000012
【図１１】
2015100216.tif 000013
【図１２】
2015100216.tif 000014
【図１３】
2015100216.tif 000015
【図１４】
2015100216.tif 000016
【図１５】
2015100216.tif 000017
【図１６】
2015100216.tif 000018
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
プラグイン可能なメカニズムの助けによりバッテリーバランシングコントロールを行う装置において、該装置は、電源供給装置の少なくとも一部分を包含し、該装置は、
プラグイン可能な外接モジュールであって、該プラグイン可能な外接モジュールは、
一組の外接バランシング回路であって、バランシング動作を実行し、該一組の外接バランシング回路はそれぞれ該電源供給装置中の特定バッテリーモジュールの一組のバッテリーセルに対応する、上記一組の外接バランシング回路、及び、
第１接続ポートであって、該第１接続ポートは複数の端子を包含し、該複数の端子はそれぞれ該一組の外接バランシング回路に接続される、上記第１接続ポート、
を包含する上記プラグイン可能な外接モジュールを包含し、
該特定バッテリーモジュールのケーシング上に、該第１接続ポートに対応する第２接続ポートが設置され、該プラグイン可能な外接モジュールが、該第１接続ポートと該第２接続ポートの形成するプラグイン可能なメカニズムの助けにより、該特定バッテリーモジュールに接続可能とされ、該一組の外接バランシング回路により、該一組のバッテリーセルに対してバランシング動作を実行し、
該特定バッテリーモジュールの該ケーシングの内に、一組の内部バランシング回路が設置されて、該プラグイン可能な外接モジュールが該プラグイン可能なメカニズムの助けにより該特定バッテリーモジュールに接続されていない状況で、該一組の内部バランシング回路を利用し、該一組のバッテリーセルに対してバランシング動作を実行することを特徴とする、装置。
【請求項２】
請求項１記載の装置において、該特定バッテリーモジュールの該ケーシング上に、該第１接続ポートに対応する該第２接続ポートが設置され、該一組の外接バランシング回路が、該プラグイン可能なメカニズムの助けにより、それぞれ該一組のバッテリーセルに接続可能とされ、該一組の外接バランシング回路により該一組のバッテリーセルに対してバランシング動作を実行することを特徴とする、装置。
【請求項３】
請求項１記載の装置において、該プラグイン可能な外接モジュールの内、或いは、該特定バッテリーモジュールの該ケーシングの内に、少なくとも一つの判断回路が設置され、該少なくとも一つの判断回路は、該一組の外接バランシング回路の少なくとも一部分をイネーブルするか否かを決定するのに用いられることを特徴とする、装置。
【請求項４】
請求項３記載の装置において、該少なくとも一つの判断回路は、該プラグイン可能な外接モジュールが該特定バッテリーモジュールに接続されていれば、該一組の内部バランシング回路を選択的にイネーブルすることを特徴とする、装置。
【請求項５】
請求項１記載の装置において、電源供給モジュールであって、
該特定バッテリーモジュールと、
該特定バッテリーモジュールの該ケーシングと、
一組の内部バランシング回路であって、該特定バッテリーモジュールの該ケーシングの内に設置されて、該一組のバッテリーセルに対してバランシング動作を実行するのに用いられる、上記一組の内部バランシング回路と、
を包含する、上記電源供給モジュールを包含することを特徴とする、装置。
【請求項６】
プラグイン可能なメカニズムの助けによりバッテリーバランシングコントロールを行う装置において、該装置は、電源供給装置の少なくとも一部分を包含し、該装置は、
電源供給モジュールを包含し、該電源供給モジュールは、該電源供給装置のプラグイン可能な外接モジュールに対応し、該プラグイン可能な外接モジュールは、一組の外接バランシング回路と一つの第１接続ポートを包含し、該電源供給モジュールは、
特定バッテリーモジュールであって、一組のバッテリーセルを包含し、該一組の外接バランシング回路はそれぞれ該一組のバッテリーセルに対応する、上記特定バッテリーモジュールと、
ケーシングであって、該ケーシング上に、該第１接続ポートに対応する第２接続ポートが設置され、該プラグイン可能な外接モジュールが、該第１接続ポートと該第２接続ポートが形成するプラグイン可能なメカニズムの助けにより該特定バッテリーモジュールに接続可能とされ、該第２接続ポートは複数の端子を包含し、該複数の端子はそれぞれ該一組のバッテリーセルに接続される、上記ケーシングと、
一組の内部バランシング回路であって、該一組のバッテリーセルに接続され、該プラグイン可能な外接モジュールが、該プラグイン可能なメカニズムの助けにより、該特定バッテリーモジュールに接続される状況で、該一組のバッテリーセルに対してバランシング動作を実行するのに用いられ、そのうち、該一組の内部バランシング回路はそれぞれ該一組のバッテリーセルに対応する、上記一組の内部バランシング回路と、
を包含することを特徴とする、装置。
【請求項７】
請求項６記載の装置において、該ケーシング上に、該第１接続ポートに対応する第２接続ポートが設置され、該一組の外接バランシング回路が、該プラグイン可能なメカニズムの助けにより、それぞれ該一組のバッテリーセルに接続可能とされ、該一組の外接バランシング回路により該一組のバッテリーセルに対してバランシング動作を実行することを特徴とする、装置。
【請求項８】
請求項６記載の装置において、該電源供給モジュールは、また、少なくとも一つの内部ヒートシンクを包含し、該内部ヒートシンクは該特定バッテリーモジュールの該ケーシングの内に設置され、該特定バッテリーモジュールの該ケーシングの内の少なくとも一つの素子が発生する熱が、該少なくとも一つの内部ヒートシンクと該特定バッテリーモジュールの該ケーシングを介して消散されることを特徴とする、装置。
【請求項９】
請求項８記載の装置において、該電源供給モジュールは、また、少なくとも一つの外部ヒートシンクを包含し、該外部ヒートシンクは該特定バッテリーモジュールの該ケーシング上に設置され、該特定バッテリーモジュールの内の少なくとも一つの素子が発生する熱が、該少なくとも一つの内部ヒートシンク、該特定バッテリーモジュールの該ケーシング、及び該少なくとも一つの外部ヒートシンクを介して消散することを特徴とする、装置。
【請求項１０】
請求項６記載の装置において、該プラグイン可能な外接モジュールの内或いは該特定バッテリーモジュールの該ケーシングの内に、少なくとも一つの判断回路が設置され、該少なくとも一つの判断回路は、該一組の外接バランシング回路の少なくとも一部分をイネーブルし、及び、該プラグイン可能な外接モジュールが該特定バッテリーモジュールに接続されていれば、該一組の内部バランシング回路は該少なくとも一つの判断回路により選択的にディスエーブルされることを特徴とする、装置。